(57)【特許請求の範囲】
【請求項１】
バックボーンネットワークと加入者多重化／多重分離装置との間でプロトコル終端を行うプロトコル終端装置を有するアクセスネットワークシステムであって、
前記プロトコル終端装置が、
前記加入者多重化／多重分離装置から入力される多重化信号内のパケットがデータパケット又は制御パケットのいずれであるかを判別する判別手段と、
前記加入者多重化／多重分離装置との間でＰＰＰ(Ｐoint-to-Ｐoint Ｐrotocol)処理を行うＰＰＰ処理手段と、
バックボーンネットワークと前記加入者多重化／多重分離装置との間の、又は前記加入者多重化／多重分離装置と前記ＰＰＰ処理手段との間のスイッチング処理を行うスイッチング手段とを備え、
前記判別手段が、判別の結果、前記多重化信号内の前記パケットがデータパケットであることを示す第１の判別を出力するとき、前記第１の判別及び前記データパケットのスイッチング情報に基づいて前記スイッチング手段をスイッチングさせて前記多重化信号内の前記データパケットを前記バックボーンネットワークへスイッチさせる一方、前記多重化信号内の前記パケットが制御パケットであることを示す第２の判別を出力するとき、前記第２の判別及び前記制御パケットのスイッチング情報に基づいて前記スイッチング手段をスイッチングさせて前記多重化信号内の前記制御パケットを前記ＰＰＰ処理手段へスイッチさせる構成になされていることを特徴とするアクセスネットワークシステム。
【請求項２】
前記パケットは、イサーネットフレームのパケット又はIEEE802.3フレームのパケットであり、前記データパケットは、前記イサーネットフレームのパケット又は前記IEEE802.3フレームのパケット内のＰＰＰデータパケットであり、前記制御パケットは、前記イサーネットフレームのパケット又は前記IEEE802.3フレームのパケット内のＰＰＰ制御パケットであることを特徴とする請求項１記載のアクセスネットワークシステム。
【請求項３】
前記パケットは、イサーネットフレームのパケット又はIEEE802.3フレームのパケット内のＰＰＰパケットであり、前記データパケットは、前記イサーネットフレームのパケット又は前記IEEE802.3フレームのパケット内のＰＰＰデータパケットであり、前記制御パケットは、前記イサーネットフレームのパケット又は前記IEEE802.3フレームのパケット内のＰＰＰ制御パケットであることを特徴とする請求項１記載のアクセスネットワークシステム。
【請求項４】
パケットにＭＡＣアドレスを付加した信号又はパケットにＭＡＣアドレスを付加していない信号を送受信する複数の加入者装置とバックボーンネットワークとを接続するためのアクセスネットワークシステムであって、
該加入者装置の各々から送信された信号内の各パケットの多重化を該パケットに付加されているＭＡＣアドレス又は該パケットのＩＰアドレスに基づいて行い、多重化された多重化信号をＰＯＳ信号にして出力する一方、入力されたＰＯＳ信号内の各パケットの多重分離を当該パケットのＩＰアドレスに基づいて行う加入者多重化／多重分離装置と、
該加入者多重化／多重分離装置に接続され、ＰＯＳ信号を伝送するインターフェースと、
バックボーンネットワークとのインターフェースを取る第１のインターフェースブロックと、前記インターフェースに接続され、前記加入者多重化／多重分離装置との間で多重化信号のインターフェースを取る第２及び第３のインターフェースブロックと、判別手段と、スイッチング手段と、ＰＰＰ処理手段とを有するプロトコル終端装置とを備え、
前記判別手段は、判別の結果、前記加入者多重化／多重分離装置から前記第２のインターフェースブロックを介して受信された多重化信号内のパケットがデータパケットである第１の判別を示すとき、第１の前記判別及び前記データパケットのＩＰアドレスに基づいて前記スイッチング手段をスイッチングさせて前記データパケットを前記第１のインターフェースブロックへ転送し該第１のインターフェースブロックでＰＯＳ信号に変換してバックボーンネットワークへ伝送する一方、前記加入者多重化／多重分離装置から前記第２のインターフェースブロックを介して受信されたＰＯＳ信号内のパケットが制御パケットである第２の判別を示すとき、第２の前記判別及び前記制御パケットのＩＰアドレスに基づいて前記スイッチング手段をスイッチングさせて前記制御パケットを前記ＰＰＰ処理手段へ転送し、
前記ＰＰＰ処理手段は、受け取った該制御パケットを前記第３のインターフェースブロックを介して送信し前記加入者多重化／多重分離装置を介して前記加入者装置との間のＰＰＰ処理である第１のＰＰＰ処理を行い、
前記第２のインターフェースブロックを介して制御パケットを送信し前記プロトコル終端装置と前記加入者多重化／多重分離装置との間のＰＰＰ処理である第２のＰＰＰ処理を行う構成になされていることを特徴とするアクセスネットワークシステム。
【請求項５】
前記加入者装置で処理される前記パケット及び前記加入者多重化／多重分離装置の多重化で処理される前記パケットは、イサーネットフレームのパケット又はIEEE802.3フレームのパケットであり、前記加入者多重化／多重分離装置の多重分離で処理される前記パケット及び前記プロトコル終端装置で処理されるパケットは、ＰＯＳ信号で伝送されるＳＤＨ／ＳＯＮＥＴフレーム内のＰＰＰパケットインＰＰＰパケット中のＰＰＰパケットであることを特徴とする請求項４記載のアクセスネットワークシステム。
【請求項６】
前記加入者装置で処理される前記パケット及び前記加入者多重化／多重分離装置の多重化で処理される前記パケットは、イサーネットフレームのパケット又はIEEE802.3フレームのパケット又は該パケット内のＰＰＰパケットであり、前記加入者多重化／多重分離装置の多重分離化で処理される前記パケット及び前記プロトコル終端装置で処理されるパケットは、ＰＯＳ信号で伝送されるＳＤＨ／ＳＯＮＥＴフレーム内のＰＰＰパケットインＰＰＰパケット中のＰＰＰパケットであることを特徴とする請求項４記載のアクセスネットワークシステム。
【請求項７】
データパケットをＰＯＳ信号に変換してバックボーンネットワークへ伝送する第１のインターフェースブロックと、加入者装置を接続している加入者多重化／多重分離装置に接続され、加入者装置毎に生成されたパケットを伝送する信号を前記加入者装置から受信し、前記加入者多重化／多重分離装置で前記信号の各々が多重化されて送信された多重化信号を受信する第２のインターフェースブロックと、前記加入者多重化／多重分離装置に接続される第３のインターフェースブロックとを有するプロトコル終端装置であって、
前記第２のインターフェースブロックで受信される多重化信号内のパケットがデータパケット又は制御パケットのいずれであるかを判別する判別手段と、
前記加入者多重化／多重分離装置へ前記第３のインターフェースブロックを介して接続され、前記加入者多重化／多重分離装置を介して前記加入者装置との間でＰＰＰ処理を行うＰＰＰ処理手段と、
前記第１のインターフェースブロック又は前記ＰＰＰ処理手段へパケットをスイッチングさせるスイッチング手段とを備え、
前記第２のインターフェースブロックは、前記多重化信号から前記パケット及び前記パケットに付加されている前記ＭＡＣアドレス又は前記パケットのＩＰアドレスを抽出し、
前記判別手段が、判別の結果、前記第２のインターフェースブロックで受信したパケットがデータパケットである第１の判別を示すとき、第１の前記判別及び前記第２のインターフェースブロックで抽出された前記ＭＡＣアドレス又は前記パケットのＩＰアドレスに基づいて前記データパケットを前記スイッチング手段を介して第１のインターフェースブロックに転送させる一方、前記第２のインターフェースブロックで抽出されたパケットが制御パケットである第２の判別を示すとき、第２の前記判別及び前記第２のインターフェースブロックで抽出された前記ＭＡＣアドレス又は前記パケットのＩＰアドレスに基づいて前記制御パケットを前記スイッチング手段を介して前記ＰＰＰ処理手段に転送させる構成になされていることを特徴とするプロトコル終端装置。
【請求項８】
前記パケットは、イサーネットフレームのパケット又はIEEE802.3フレームのパケットであることを特徴とする請求項７記載のプロトコル終端装置。
【請求項９】
前記パケットは、イサーネットフレームのパケット又はIEEE802.3フレームのパケット内のＰＰＰパケットであることを特徴とする請求項７記載のプロトコル終端装置。
【請求項１０】
パケットをＰＯＳ信号に変換してバックボーンネットワークへ伝送する第１のインターフェースブロックと、加入者装置を接続している加入者多重化／多重分離装置にインターフェースを介して接続され、加入者装置毎に生成されたパケットを伝送する信号を加入者装置から受信し、前記加入者多重化／多重分離装置で前記パケットの各々が多重化されて送信された多重化信号を受信する第２のインターフェースブロックと、前記加入者多重化／多重分離装置に接続される第３のインターフェースブロックとを有するプロトコル終端装置であって、
前記第２のインターフェースブロックで受信される多重化信号内のパケットがデータパケット又は制御パケットのいずれであるかを判別する判別手段と、
前記加入者多重化／多重分離装置へ前記第３のインターフェースブロックを介して接続され、前記第３のインターフェースブロックを介して制御パケットを送信し前記加入者多重化／多重分離装置を介して前記加入者装置との間のＰＰＰ処理である第１のＰＰＰ処理を行い、前記第２のインターフェースブロックを介して前記制御パケットを送信し前記加入者多重化／多重分離装置との間のＰＰＰ処理である第２のＰＰＰ処理を行うＰＰＰ処理手段と、
前記第１のインターフェースブロック又は前記ＰＰＰ処理手段へパケットをスイッチングさせるスイッチング手段とを備え、
前記インターフェースは、ＰＯＳ信号を伝送するインターフェースであり、
前記第２のインターフェースブロックは、前記ＰＯＳ信号内のパケット及び該パケットのＩＰアドレスを抽出し、
前記判別手段が、判別の結果、前記第２のインターフェースブロックで抽出されたパケットがデータパケットである第１の判別を示すとき、第１の前記判別及び前記第２のインターフェースブロックで抽出された前記ＩＰアドレスに基づいて前記データパケットを前記スイッチング手段を介して第１のインターフェースブロックに転送させる一方、前記第２のインターフェースブロックで抽出されたパケットが制御パケットである第２の判別を示すとき、第２の判別及び前記第２のインターフェースブロックで抽出された前記ＩＰアドレスに基づいて前記制御パケットを前記スイッチング手段を介して前記ＰＰＰ処理手段に転送させる構成になされていることを特徴とするプロトコル終端装置。
【請求項１１】
前記パケットは、ＰＯＳ信号で伝送されるＳＤＨ／ＳＯＮＥＴフレーム内のＰＰＰパケットインＰＰＰパケット中のＰＰＰパケットであることを特徴とする請求項１０記載のプロトコル終端装置。
【発明の詳細な説明】
【０００１】
本発明は、アクセスネットワークシステム及びプロトコル終端装置に係り、詳しくは、ＰＰＰパケットをＭＡＣアドレス等に基づいて多重化し、ＭＡＣアドレス等又はＩＰアドレスに基づいて多重分離し、ＰＰＰ処理を行うアクセスネットワークシステム及びプロトコル終端装置に関する。
【０００２】
【従来の技術】
従来、インターネットにおいて、インターネットに接続される２つの端末間に通信路を形成してデータ通信を行うのに先立って、該端末をアクセスネットワークを介してバックボーンネットワークに接続しなければならないが、その接続にポイント−ツー−ポイント・プロトコル  （Ｐｏｉｎｔ−ｔｏ−Ｐｏｉｎｔ  Ｐｒｏｔｏｃｏｌ）（ＰＰＰ）が利用されている。
【０００３】
先ず、アクセスネットワークにおけるＰＰＰについてその概略を説明する。
ＰＰＰは、各加入者がインターネットに接続しようとする場合に、インターネットアクセス要求に対し、ＩＰ（Ｉｎｔｅｒｎｅｔ  Ｐｒｏｔｏｃｏｌ）パケットを運ぶためのＰＰＰをアクセスネットワークにおいて終端する必要がある。ＰＰＰとは、認証（Ａｕｔｈｅｎｔｉｃａｔｉｏｎ：登録されていない加入者はリンクそのものが張れず、データの転送ができず、また、１Ｐアドレスそのものの配布が受けられない）、課金（Ａｃｃｏｕｎｔｉｎｇ：接続している時間）、サービスそのものの管理（ＳＭＳ：Ｓｅｒｖｉｃｅ  Ｍａｎａｇｅｍｅｎｔ  Ｓｙｓｔｅｍ）、加入者別の帯域の割り当て等を行うものである．
【０００４】
また、インターネットバックボーンネットワークにおいても、ＰＰＰが用いられる。そのＰＰＰは、アクセスネットワークで用いられるＰＰＰとは異なり、バックボーンネットワーク−アクセスネットワーク間で授受される最大パケット長（ＭＴＵ（Ｍａｘｉｍｕｍ  Ｔｒａｎｓｆｅｒ  Ｕｎｉｔ）サイズ）の決定等を行うものである。
したがって、バックボーンネットワークに接続されるアクセスネットワークを介してバックボーンネットワークにＩＰデータを伝送するためには、それぞれのアクセスネットワークにおいてＰＰＰ終端を行わなければならないが、その従来のＰＰＰ終端は、ＩＳＰ（Ｉｎｔｅｒｎｅｔ  Ｓｅｒｖｉｃｅ  Ｐｒｏｖｉｄｅｒ）の入り口において、通常、行われている。ここで、ＰＰＰの終端そのものは、従来におけるアクセスネットワークシステムにおいては、専用の装置を設置することで対応してきた（図１９）。
【０００５】
図１９に示す従来のアクセスネットワークシステムは、ＡＴＵ（Ａddress Ｔransformation Ｕnit）−Ｒ ２０ｌ、ＤＳＬＡＭ（Ｄigital Ｓubscriber Ｌine Ａccess Ｍultipleｘer） ３０ｍ、ＡＴＭ ＳＷ（Ａsynchronous Ｔransfer Ｍode Ｓwitch） ４０ｎ、ＰＰＰ終端用装置５０１から構成される。そのＡＴＵ−Ｒ ２０ｌにＰＣ（Ｐersonal Ｃoｍputer）１０ｋが接続されている。なお、ＡＴＵ−Ｒに付されている２０ｌのｌは１〜Ｐ個のＡＴＵ−Ｒがあり、ＤＳＬＡＭに付されている３０ｍのｍは１〜Ｑ個のＤＳＬＡＭがあり、ＡＴＭ ＳＷに付されている４０ｎのｎは１〜Ｒ個のＡＴＭ ＳＷがあることを示している。そして、４１０１はＡＤＳＬ（Ａsymmetric Ｄigital Ｓubscriber Ｌine）／ＶＤＳＬ（Ｖery high Ｓpeed ＤigitalＳubscriber Ｌine）インタフエース、５１０１はＡＴＭ ＯＣ−３cインターフェース、６１０１はＡＴＭ ＯＣ−１２cインターフェースである。
【０００６】
ＰＰＰは、アクセスネットワークシステムのＡＴＵ−Ｒ  ２０ｌとＰＰＰ終端用装置５０１との通信路を介してマルチプロトコルのデータ転送をサポートするプロトコルであり、ＰＰＰの処理が開始されると、先ず、ＡＴＵ−Ｒ  ２０ｌからＰＰＰ終端用装置５０１へ送信されるＰＰＰパケットとして、図２２に示すＰＰＰ制御パケットのうちのＬＣＰ（Ｌｉｎｋ  Ｃｏｎｔｒｏｌ  Ｐｒｏｔｏｃｏｌ）パケット（ＬＣＰパケットであるか否かはＰＰＰパケット内のプロトコルフィールドの値がｃ０２１であるか否かによって決まる。）が送信され、このＬＣＰパケットに基づいてリンクを確立し、その確立したリンクにつきユーザとしての認証が行われる。
【０００７】
次いで、ＮＣＰ（Ｎｅｔｗｏｒｋ  Ｃｏｎｔｒｏｌ  Ｐｒｏｔｏｃｏｌ）パケット（ＮＣＰパケットであるか否かはＰＰＰパケット内のプロトコルフィールドの値が８０２１であるか否かによって決まる。）が送信され、このＮＣＰパケットに基づいて上位層のデータ転送のためのＩＰアドレスの配布処理等を行う。
その後に、確立され、認証されたリンクに対して配布されたＩＰアドレスに基づいてユーザーパケットデータが挿入されたＩＰパケットの転送が開始される（以上の記述の出展はＩＥＴＦ（Ｉｎｔｅｒｎｅｔ  Ｅｎｇｉｎｅｅｒｉｎｇ  Ｔａｓｋ  Ｆｏｒｃｅ）。Ｄｏｃｕｍｅｎｔ  ＲＦＣ１１６１／１１６２／／１３３２による）。
【０００８】
なお、ＰＰＰ処理で用いられるフレームフォーマットは、ＨＤＬＣ（Ｈｉｇｈ  Ｄａｔａ  Ｌｉｎｋ  Ｃｏｎｔｒｏｌ  Ｐｒｏｃｅｄｕｒｅ）のフレーム構成が用いられ、そのペイロードに３２ビットのプロトコルフィールドを付加した後、パケットデータとしてＩＰパケットが挿入されてＰＰＰパケットの全体が構成されている。
【０００９】
上述したリンク確立の処理について若干詳しく説明する。
ＩＰパケットの送信に先立って、リンクの確立処理を行うリンクプロトコルは、ＩＰレイヤの下に位置する（図２０）。
リンクの確立処理は、図２２に示すように、インターネットアクセス要求があると、リンク不使用フェーズにあった制御がリンク確立フェーズに進み、制御が認証フェーズに移る。ここまでの処理は、図２３のＬＣＰ設定に相当する。
この認証フェーズにおける処理が首尾良く行われると、ＮＣＰフェーズとなって上述したＩＰアドレスの配布処理等が行われる。これにより、リンクが確立される。ここでの処理が、図２３のＮＣＰ設定に相当する。
【００１０】
このリンク確立の処理後に、上述したＩＰパケットの送信が開始される。ＩＰパケットは、ＰＰＰパケットに納められてそのＰＰＰパケットが送信される。これにより、ＩＰパケットは送信される。そのＰＰＰパケットがＰＰＰデータパケットであるか否かの判別は、そのプロトコルフィールドの値が００２１であることで為される。
【００１１】
上述したように、リンク確立においても、また、ＩＰパケットの送信においても、送信されるＰＰＰパケットは、ＡＵＴ−Ｒ  ２０ｌのＰＰＰレイヤでＰＰＰヘッダが付加されて生成され、さらに、ＡＵＴ−Ｒ  ２０ｌのＡＡＬ５（ＡＴＭ  Ａｄａｐｔａｔｉｏｎ  Ｌａｙａｒ  Ｔｙｐｅ５）レイヤにおいてＡＴＭセルとされてからＰＨＹレイヤを介してＤＳＬＡＭ３０ｍへ伝送される（図２０）。
【００１２】
そして、ＡＴＭセルを受信するＤＳＬＡＭ３０ｍにおいても、そのＰＨＹレイヤを経て入力さされたＡＴＭセルをそのＡＴＭＬ５レイヤで所要の処理を行い、また、ＡＴＭ  ＳＷ４０ｎにおいても、さらにはＰＰＰ終端用装置５０１においても、また、然りである（図２０）。
【００１３】
したがって、ＡＡＬ５レイヤ（図２０）を用いてアクセスネットワークシステムの全体が構成される場合には、そのＡＴＭセルにフレームヘッダの付加処理がされた（ＰＰＰ  Ｅｎｃａｐｓｕｌａｔｉｏｎされた）ＰＰＰフレームが送信されて行くため、ＰＰＰを終端するためには、先ず、ＡＡＬ５レイヤでのＳＡＲ（Ｓｅｇｍｅｎｔａｔｉｏｎ  ａｎｄ  Ｒｅａｓｓｅｍｂｌｙ  Ｓｕｂｌａｙｅｒ）の処理を行う必要がある。ＳＡＲ処理により、元のＰＰＰフレームが組みたてられ、ＰＰＰ終端用装置５０１のＣＰＵによりリンク確立のための処理が行われる。リンク確立後に、加入者はＩＰパケットをバックボーンネットワーク６０１に転送することができる。
【００１４】
【発明が解決しようとする課題】
しかしながら、上述した従来例においては次のような問題点があった。
すなわち、従来例では、上述したように、インターネットにアクセスしようとする各加入者を判別し、ＡＴＭ処理のための機能を搭載した装置（図１９のＰＰＰ終端用装置５０１）を、バックボーンネットワーク６０１の入り口に設置し、加入者が増える毎に増設をしていくことが必要であった。また、図１９に示したＰＰＰ終端用装置５０１の設置場所は、数多くの加入者が多重化されて来るバックボーンネットワーク６０１の近くであることも多かった。
図１９に示すようなアクセスネットワークシステムでは、ＡＡＬ５レイヤを用いてアクセスネットワークシステムの全体が構成されているため、システム全体が複雑化してしまうのが避けられないという不具合がある。
【００１５】
インターネットにアクセスする加入者の増加に際して、インターネットのバックボーンネットワークにそれら加入者を接続可能にする必要不可欠な処理であるＰＰＰ処理を行う装置を増設しなければならないが、その装置を加入者により近い所、つまりインターネットサービスを提供する装置内（例えば、図１９のＡＴＭ  ＳＷ  ４０ｎ）に設けることが考えられるが、その際に、ＰＰＰの複雑化、そのシステムの複雑化、システムの管理システムの複雑化等を回避し得ることが必要である。
【００１６】
本発明の目的は、上述した事情に鑑みてなされたもので、ＰＰＰパケットをＭＡＣアドレス等に基づく多重化及びＭＡＣアドレス等又はＩＰアドレスに基づく多重分離を用いて行うＰＰＰ処理の構成を簡略化できるアクセスネットワークシステム及びプロトコル終端装置を提供することを目的としている。
【００１７】
【課題を解決するための手段】
上記課題を解決するために、請求項１記載の発明は、バックボーンネットワークと加入者多重化／多重分離装置との間でプロトコル終端を行うプロトコル終端装置を有するアクセスネットワークシステムに係り、前記プロトコル終端装置が、前記加入者多重化／多重分離装置から入力される多重化信号内のパケットがデータパケット又は制御パケットのいずれであるかを判別する判別手段と、前記加入者多重化／多重分離装置との間でＰＰＰ処理を行うＰＰＰ処理手段と、バックボーンネットワークと前記加入者多重化／多重分離装置との間の、又は前記加入者多重化／多重分離装置と前記ＰＰＰ処理手段との間のスイッチング処理を行うスイッチング手段とを備え、前記判別手段が、判別の結果、前記多重化信号内の前記パケットがデータパケットであることを示す第１の判別を出力するとき、前記第１の判別及び前記データパケットのスイッチング情報に基づいて前記スイッチング手段をスイッチングさせて前記多重化信号内の前記データパケットを前記バックボーンネットワークへスイッチさせる一方、前記多重化信号内の前記パケットが制御パケットであることを示す第２の判別を出力するとき、前記第２の判別及び前記制御パケットのスイッチング情報に基づいて前記スイッチング手段をスイッチングさせて前記多重化信号内の前記制御パケットを前記ＰＰＰ処理手段へスイッチさせる構成になされていることを特徴としている。
【００１８】
また、請求項２記載の発明は、請求項１記載のアクセスネットワークシステムに係り、前記パケットが、イサーネットフレームのパケット又はIEEE802.3フレームのパケットであり、前記データパケットは、前記イサーネットフレームのパケット又は前記IEEE802.3フレームのパケット内のＰＰＰデータパケットであり、前記制御パケットが、前記イサーネットフレームのパケット又は前記IEEE802.3フレームのパケット内のＰＰＰ制御パケットであることを特徴としている。
【００１９】
また、請求項３記載の発明は、請求項１記載のアクセスネットワークシステムに係り、前記パケットが、イサーネットフレームのパケット又はIEEE802.3フレームのパケット内のＰＰＰパケットであり、前記データパケットが、前記イサーネットフレームのパケット又は前記IEEE802.3フレームのパケット内のＰＰＰデータパケットであり、前記制御パケットが、前記イサーネットフレームのパケット又は前記IEEE802.3フレームのパケット内のＰＰＰ制御パケットであることを特徴としている。
【００２０】
また、請求項４記載の発明は、パケットにＭＡＣアドレスを付加した信号又はパケットにＭＡＣアドレスを付加していない信号を送受信する複数の加入者装置とバックボーンネットワークとを接続するためのアクセスネットワークシステムに係り、該加入者装置の各々から送信された信号内の各パケットの多重化を該パケットに付加されているＭＡＣアドレス又は該パケットのＩＰアドレスに基づいて行い、多重化された多重化信号をＰＯＳ信号にして出力する一方、入力されたＰＯＳ信号内の各パケットの多重分離を当該パケットのＩＰアドレスに基づいて行う加入者多重化／多重分離装置と、該加入者多重化／多重分離装置に接続され、ＰＯＳ信号を伝送するインターフェースと、バックボーンネットワークとのインターフェースを取る第１のインターフェースブロックと、前記インターフェースに接続され、前記加入者多重化／多重分離装置との間で多重化信号のインターフェースを取る第２及び第３のインターフェースブロックと、判別手段と、スイッチング手段と、ＰＰＰ処理手段とを有するプロトコル終端装置とを備え、前記判別手段は、判別の結果、前記加入者多重化／多重分離装置から前記第２のインターフェースブロックを介して受信された多重化信号内のパケットがデータパケットである第１の判別を示すとき、第１の前記判別及び前記データパケットのＩＰアドレスに基づいて前記スイッチング手段をスイッチングさせて前記データパケットを前記第１のインターフェースブロックへ転送し該第１のインターフェースブロックでＰＯＳ信号に変換してバックボーンネットワークへ伝送する一方、前記加入者多重化／多重分離装置から前記第２のインターフェースブロックを介して受信されたＰＯＳ信号内のパケットが制御パケットである第２の判別を示すとき、第２の前記判別及び前記制御パケットのＩＰアドレスに基づいて前記スイッチング手段をスイッチングさせて前記制御パケットを前記ＰＰＰ処理手段へ転送し、前記ＰＰＰ処理手段は、受け取った該制御パケットを前記第３のインターフェースブロックを介して送信し前記加入者多重化／多重分離装置を介して前記加入者装置との間のＰＰＰ処理である第１のＰＰＰ処理を行い、前記第２のインターフェースブロックを介して制御パケットを送信し前記プロトコル終端装置と前記加入者多重化／多重分離装置との間のＰＰＰ処理である第２のＰＰＰ処理を行う構成になされていることを特徴としている。
【００２１】
また、請求項５記載の発明は、請求項４記載のアクセスネットワークシステムに係り、前記加入者装置で処理される前記パケット及び前記加入者多重化／多重分離装置の多重化で処理される前記パケットは、イサーネットフレームのパケット又はIEEE802.3フレームのパケットであり、前記加入者多重化／多重分離装置の多重分離で処理される前記パケット及び前記プロトコル終端装置で処理されるパケットは、ＰＯＳ信号で伝送されるＳＤＨ／ＳＯＮＥＴフレーム内のＰＰＰパケットインＰＰＰパケット中のＰＰＰパケットであることを特徴としている。
【００２２】
また、請求項６記載の発明は、請求項４記載のアクセスネットワークシステムに係り、前記加入者装置で処理される前記パケット及び前記加入者多重化／多重分離装置の多重化で処理される前記パケットが、イサーネットフレームのパケット又はIEEE802.3フレームのパケット又は該パケット内のＰＰＰパケットであり、前記加入者多重化／多重分離装置の多重分離化で処理される前記パケット及び前記プロトコル終端装置で処理されるパケットが、ＰＯＳ信号で伝送されるＳＤＨ／ＳＯＮＥＴフレーム内のＰＰＰパケットインＰＰＰパケット中のＰＰＰパケットであることを特徴としている。
【００２３】
また、請求項７記載の発明は、データパケットをＰＯＳ信号に変換してバックボーンネットワークへ伝送する第１のインターフェースブロックと、加入者装置を接続している加入者多重化／多重分離装置に接続され、加入者装置毎に生成されたパケットを伝送する信号を前記加入者装置から受信し、前記加入者多重化／多重分離装置で前記信号の各々が多重化されて送信された多重化信号を受信する第２のインターフェースブロックと、前記加入者多重化／多重分離装置に接続される第３のインターフェースブロックとを有するプロトコル終端装置に係り、前記第２のインターフェースブロックで受信される多重化信号内のパケットがデータパケット又は制御パケットのいずれであるかを判別する判別手段と、前記加入者多重化／多重分離装置へ前記第３のインターフェースブロックを介して接続され、前記加入者多重化／多重分離装置を介して前記加入者装置との間でＰＰＰ処理を行うＰＰＰ処理手段と、前記第１のインターフェースブロック又は前記ＰＰＰ処理手段へパケットをスイッチングさせるスイッチング手段とを備え、前記第２のインターフェースブロックは、前記多重化信号から前記パケット及び前記パケットに付加されている前記ＭＡＣアドレス又は前記パケットのＩＰアドレスを抽出し、前記判別手段が、判別の結果、前記第２のインターフェースブロックで受信したパケットがデータパケットである第１の判別を示すとき、第１の前記判別及び前記第２のインターフェースブロックで抽出された前記ＭＡＣアドレス又は前記パケットのＩＰアドレスに基づいて前記データパケットを前記スイッチング手段を介して第１のインターフェースブロックに転送させる一方、前記第２のインターフェースブロックで抽出されたパケットが制御パケットである第２の判別を示すとき、第２の前記判別及び前記第２のインターフェースブロックで抽出された前記ＭＡＣアドレス又は前記パケットのＩＰアドレスに基づいて前記制御パケットを前記スイッチング手段を介して前記ＰＰＰ処理手段に転送させる構成になされていることを特徴としている。
【００２４】
また、請求項８記載の発明は、請求項７記載のプロトコル終端装置に係り、前記パケットが、イサーネットフレームのパケット又はIEEE802.3フレームのパケットであることを特徴としている。
【００２５】
また、請求項９記載の発明は、請求項７記載のプロトコル終端装置に係り、前記パケットが、イサーネットフレームのパケット又はIEEE802.3フレームのパケット内のＰＰＰパケットであることを特徴としている。
【００２６】
また、請求項１０記載の発明は、パケットをＰＯＳ信号に変換してバックボーンネットワークへ伝送する第１のインターフェースブロックと、加入者装置を接続している加入者多重化／多重分離装置にインターフェースを介して接続され、加入者装置毎に生成されたパケットを伝送する信号を加入者装置から受信し、前記加入者多重化／多重分離装置で前記パケットの各々が多重化されて送信された多重化信号を受信する第２のインターフェースブロックと、前記加入者多重化／多重分離装置に接続される第３のインターフェースブロックとを有するプロトコル終端装置に係り、前記第２のインターフェースブロックで受信される多重化信号内のパケットがデータパケット又は制御パケットのいずれであるかを判別する判別手段と、前記加入者多重化／多重分離装置へ前記第３のインターフェースブロックを介して接続され、前記第３のインターフェースブロックを介して制御パケットを送信し前記加入者多重化／多重分離装置を介して前記加入者装置との間のＰＰＰ処理である第１のＰＰＰ処理を行い、前記第２のインターフェースブロックを介して前記制御パケットを送信し前記加入者多重化／多重分離装置との間のＰＰＰ処理である第２のＰＰＰ処理を行うＰＰＰ処理手段と、前記第１のインターフェースブロック又は前記ＰＰＰ処理手段へパケットをスイッチングさせるスイッチング手段とを備え、前記インターフェースは、ＰＯＳ信号を伝送するインターフェースであり、前記第２のインターフェースブロックは、前記ＰＯＳ信号内のパケット及び該パケットのＩＰアドレスを抽出し、前記判別手段が、判別の結果、前記第２のインターフェースブロックで抽出されたパケットがデータパケットである第１の判別を示すとき、第１の前記判別及び前記第２のインターフェースブロックで抽出された前記ＩＰアドレスに基づいて前記データパケットを前記スイッチング手段を介して第１のインターフェースブロックに転送させる一方、前記第２のインターフェースブロックで抽出されたパケットが制御パケットである第２の判別を示すとき、第２の判別及び前記第２のインターフェースブロックで抽出された前記ＩＰアドレスに基づいて前記制御パケットを前記スイッチング手段を介して前記ＰＰＰ処理手段に転送させる構成になされていることを特徴としている。
【００２７】
また、請求項１１記載の発明は、請求項１０記載のプロトコル終端装置に係り、前記パケットは、ＰＯＳ信号で伝送されるＳＤＨ／ＳＯＮＥＴフレーム内のＰＰＰパケットインＰＰＰパケット中のＰＰＰパケットであることを特徴としている。
【００４５】
この実施例のアクセスネットワークシステム１０は、ＭＡＣ（Ｍｅｄｉａ  ＡｄｒｅｓｓＣｏｎｔｒｏｌ  ）レイヤによりＰＰＰの処理を行うシステムに係り、図１に示すように、加入者装置（ＡＴＵＵ−Ｒ）２ｎｍ、加入者多重化／多重分離装置（ＤＳＬＡＭ）４ｎ及びアクセスゲートウェイ（ＡＧ）６１から概略構成されている。その加入者装置２ｎｍにパーソナルコンピュータ１ｎｍｌが接続され、アクセスゲートウェイ６１にＰＯＳ  ＯＣ−１２Ｃインターフェース７１を介してバックボーンネットワーク８１が接続されてインターネット通信を行い得るようにその全体が構成されている。ＰＯＳ  ＯＣ−１２Ｃインターフェース７１のＰＯＳは、Ｐａｃｋｅｔ  Ｏｖｅｒ  ＳＤＨ／ＳＯＮＥＴ（Ｓｙｎｃｈｒｏｎｏｕｓ  Ｄｉｇｉｔａｌ  Ｄｉｅｒａｃｈｙ／Ｓｙｎｃｈｒｏｎｏｕｓ  Ｏｐｔｉｃａｌ  Ｎｅｔｗｏｒｋ）の略号であり、ＯＣ−１２Ｃは、通信速度の表記で、その通信速度は６２０Ｍｂ／ｓである。
【００４６】
加入者多重化／多重分離装置４ｎに付されている参照番号４ｎのｎは、アクセスゲートウェイ６１に接続される加入者多重化／多重分離装置の数が予め決められる数１〜Ｎだけあることを表している。
また、加入者装置２ｎｍに付されている参照番号３ｎｍのｍは、加入者多重化／多重分離装置４ｎに接続される加入者装置の数が加入者多重化／多重分離装置４ｎ毎にｎと同数又は異なる予め決められる数１〜Ｍだけあることを表している。
また、パーソナルコンピュータ１ｎｍｌに付されている参照番号１ｎｍｌのｌは、加入者装置２ｎｍに接続されるパーソナルコンピュータの数が加入者装置２ｎｍ毎にｎ及び又はｍと同数又は異なる予め決められる数１〜ｌだけあることを表している。ＩＰパケットのフォーマットは、図１４に示す。図１４中の略号は知られている表記である。
【００４７】
パーソナルコンピュータ１ｎｍｌは、インターネットの端末装置であり、インターネットへのアクセス時にＩＰパケット（ＩＰ（Ｉｎｔｅｒｎｅｔ  Ｐｒｏｔｃｏｌ）パケットデータ）を加入者装置ＡＴＵ（Ａｄｄｒｅｓｓ  Ｔｒａｎｓｆｏｒｍａｔｉｏｎ  Ｕｎｉｔ）−Ｒ  ２ｎｍへ出力するものである。
加入者装置２ｎｍは、パーソナルコンピュータ１ｎｍｌから伝送されて来たＩＰパケットにＰＰＰ（Ｐｏｉｎｔ−ｔｏ−Ｐｏｉｎｔ  Ｐｒｏｔｃｏｌ）ヘッダを付加し（図５のＡＴＵＵ−ＲのＰＰＰ）、続いてイサーネット／ＩＥＥＥ８０２．３フレームのフレームヘッダを付加して（図５のＡＴＵＵ−ＲのＭＡＣ）イサーネット／ＩＥＥＥ８０２．３フレームのパケットにする。ここで、イサーネット／ＩＥＥＥ８０２．３フレームは、ＩＰパケットにＰＰＰヘッダが付加されて成るＰＰＰパケットを乗せるフレームとしは、イサーネットフレームでも、また、ＩＥＥＥ８０２．３フレームでもよいことを表している。イサーネットフレーム及びＩＥＥＥ８０２．３フレームのフォーマットは、図１３に示す。図１３中の略号は、知られている表記である。
【００４８】
そして、加入者装置２ｎｍは、イサーネット／ＩＥＥＥ８０２．３フレームのフレームヘッダを付加したイサーネット／ＩＥＥＥ８０２．３フレームのパケットを乗せている信号にアナログ変調を掛けて１００Ｋｂ／ｓのＡＤＳＬ／ＶＤＳＬ信号に変換して出力する。ここで、ＡＤＳＬ／ＶＤＳＬ信号は、イサーネット／ＩＥＥＥ８０２．３フレームのパケットの伝送に用いられる信号形式としは、ＡＤＳＬ信号でも、また、ＶＤＳＬ信号でもよいことを表している。
上記フレームヘッダには、ＭＡＣアドレスが含められ、そのＭＡＣアドレスとしては、加入者装置２ｎｍから信号が出力される送信元識別アドレス（ＳＲＣ  ＭＡＣ  Ａｄｒｅｓｓ）（多重化系内を通信信号が通る所定の信号識別部の識別アドレス）と加入者多重化／多重分離装置４ｎへ信号が入力される宛先識別アドレス（ＤＳＴ  ＭＡＣ  Ａｄｒｅｓｓ）（多重化系内を通信信号が通る所定の信号識別部の識別アドレス）とが含められる。送信元識別アドレス及び宛先識別アドレスとしては、信号を出力する若しくは信号が入力される装置自体のアドレス、又は装置から信号が出力されるポート若しくは装置へ信号が入力されるポートのアドレスであり、これらの装置自体又はポートは、上記信号識別部に相当する。
【００４９】
ＭＡＣアドレスの付加例を図４を参照して以下に説明する。
図４に示すように、加入者装置２ｎｍから加入者多重化／多重分離装置４ｎへ出力されるイサーネット／ＩＥＥＥ８０２．３フレームのＭＡＣアドレス（ＤＳＴ  ＭＡＣ  Ａｄｒｅｓｓ／ＳＲＣ  ＭＡＣ  Ａｄｒｅｓｓ）としては、２０１１／１０２１が付加される。２０１１は、加入者多重化／多重分離装置４ｎの入力ポートを識別する宛先識別アドレスであり、１０２１は、加入者装置２ｎｍを識別する送信元アドレスである。
加入者多重化／多重分離装置４ｎからそれぞれの加入者装置２ｎｍへ向かうポート（ＡＤＳＬ／ＶＤＳＬインターフェース３ｎｍＵ）の各々は、加入者装置２ｎｍと１対１で接続されているので、ＭＡＣアドレスとしては、２０１１、１０２１のいずれでも良く、加入者多重化／多重分離装置４ｎにおいて加入者が特定されるので、加入者多重化／多重分離装置４ｎにおけるＭＡＣアドレスの使用において、いずれかを選択して用いることができる。
【００５０】
加入者多重化／多重分離装置４ｎは、ＡＤＳＬ／ＶＤＳＬインターフェースブロック４ｎ１、多重化ブロック４ｎ２、イサーネット／ＩＥＥＥ８０２．３インターフェースブロック４ｎ３、イサーネット／ＩＥＥＥ８０２．３インターフェースブロック４ｎ４、多重分離ブロック４ｎ５及びＡＤＳＬ／ＶＤＳＬインターフェースブロック４ｎ６を含んで構成されている。ここで、ＡＤＳＬ／ＶＤＳＬインターフェースブロックは、加入者装置２ｎｍと加入者多重化／多重分離装置４ｎとの間に用いられるインターフェースがＡＤＳＬインターフェースであるか又はＶＤＳＬインターフェースに従ってＡＤＳＬインターフェースブロック又はＶＤＳＬインターフェースブロックが用いられることを表している。ここで、イサーネット／ＩＥＥＥ８０２．３インターフェースブロックは、加入者多重化／多重分離装置４ｎとアクセスゲートウェイ６１との間に用いられるインターフェースがイサーネットインターフェースであるか又はＩＥＥＥ８０２．３インターフェースであるかに従って、イサーネットインターフェースブロック又はＩＥＥＥ８０２．３インターフェースブロックが用いられることを表している。
【００５１】
アクセスゲートウェイ６１は、イサーネット／ＩＥＥＥ８０２．３インターフェースブロック６ｎＵ、パケットスイッチモジュール６１１、ＰＯＳ  ＯＣ−１２Ｃインターフェースブロック６１２、ＰＯＳ  ＯＣ−１２Ｃインターフェースブロック６１３、ＣＰＵ盤６１４Ａ及びイサーネット／ＩＥＥＥ８０２．３インターフェースブロック６ｎＤを含んで構成されている。ここで、イサーネット／ＩＥＥＥ８０２．３インターフェースブロックは、加入者多重化／多重分離装置４ｎとアクセスゲートウェイ６１との間に用いられるインターフェースがイサーネットインターフェースであるか又はＩＥＥＥ８０２．３インターフェースであるかに従って、イサーネットインターフェースブロック又はＩＥＥＥ８０２．３インターフェースブロックが用いられることを表している。
【００５２】
先ず、加入者多重化／多重分離装置４ｎを構成する構成要素の詳細について説明する。
ＡＤＳＬ／ＶＤＳＬインターフェースブロック４ｎ１は、各加入者毎に設けられ、加入者装置２ｎｍから入力されるＡＤＳＬ／ＶＤＳＬ信号に対するインターフェイス機能を対応加入者について行う。すなわち、受信されるＡＤＳＬ／ＶＤＳＬ信号に乗っているイサーネット／ＩＥＥＥ８０２．３フレームのパケット及び該パケットに付加されているＭＡＣアドレスを抽出し、そのイサーネット／ＩＥＥＥ８０２．３フレームのパケット及びＭＡＣアドレスを多重化ブロック４ｎ２へ転送する。
【００５３】
多重化ブロック４ｎ２は、各ＡＤＳＬ／ＶＤＳＬインターフェースブロック４ｎ１から入力されるイサーネット／ＩＥＥＥ８０２．３フレームのパケットの多重化処理を複数個のＦＩＦＯを用いて行う。この多重化は、入力されたＭＡＣアドレスに基づいて行う。
イサーネット／ＩＥＥＥ８０２．３インターフェースブロック４ｎ３は、加入者多重化／多重分離装置４ｎとアクセスゲートウェイ６１とのインターフェース機能を行う。すなわち、多重化されたイサーネット／ＩＥＥＥ８０２．３フレームのパケットをイサーネット／ＩＥＥＥ８０２．３信号に変換してイサーネット／ＩＥＥＥ８０２．３インターフェース５ｎＵ上に出力する。
【００５４】
イサーネット／ＩＥＥＥ８０２．３インターフェースブロック４ｎ４は、アクセスゲートウェイ６１と加入者多重化／多重分離装置４ｎとのインターフェース機能を行う。すなわち、アクセスゲートウェイ６１のイサーネット／ＩＥＥＥ８０２．３インターフェースブロック６ｎＤから出力されるイサーネット／ＩＥＥＥ８０２．３信号を受信してイサーネット／ＩＥＥＥ８０２．３フレームのパケット及びＭＡＣアドレスを抽出し、そのイサーネット／ＩＥＥＥ８０２．３フレームのパケット及びＭＡＣアドレスを多重分離ブロック４ｎ５に転送する。
多重分離ブロック４ｎ５は、イサーネット／ＩＥＥＥ８０２．３インターフェースブロック４ｎ４から転送されるイサーネット／ＩＥＥＥ８０２．３フレームのパケットの多重分離処理を複数個のＦＩＦＯを用いて行う。この多重分離は、入力されたＭＡＣアドレスに基づいて行う。
ＡＤＳＬ／ＶＤＳＬインターフェースブロック４ｎ６は、加入者装置２ｎｍ毎に設けられ、多重分離ブロック４ｎ５で多重分離されたイサーネット／ＩＥＥＥ８０２．３フレームのパケット別のインターフェイス機能を対応加入者について行う。すなわち、多重分離されたイサーネット／ＩＥＥＥ８０２．３フレームのパケット毎に、そのイサーネット／ＩＥＥＥ８０２．３フレームのパケットをＡＤＳＬ／ＶＤＳＬ信号に変換して変換されたＡＤＳＬ／ＶＤＳＬ信号を対応する加入者装置へ転送する。
【００５５】
次に、図２を参照して、アクセスゲートウェイ６１を構成する各構成要素の詳細について説明する。
イサーネット／ＩＥＥＥ802.3インターフェースブロック６ｎＵは、イサーネット／ＩＥＥＥ802.3インターフェース５ｎＵを経て加入者多重化／多重分離装置４ｎから入力されるイサーネット／ＩＥＥＥ802.3信号（イサーネット／ＩＥＥＥ802.3フレームのパケットを乗せている信号）に対するインターフェース機能を行う。すなわち、イサーネット／ＩＥＥＥ802.3信号を受信してイサーネット／ＩＥＥＥ802.3フレームのパケット及び該パケット内のＭＡＣアドレスを抽出し、抽出されたイサーネット／ＩＥＥＥ802.3フレームのパケット及び該パケット内のＭＡＣアドレスをパケットスイッチモジュール６１１に転送する。
【００５６】
また、イサーネット／ＩＥＥＥ８０２．３インターフェースブロック６ｎＵは、抽出されたイサーネット／ＩＥＥＥ８０２．３フレームのパケット内のＰＰＰパケットのプロトコルフィールドが示している値を参照し、その値が「００２１」であるとき、イサーネット／ＩＥＥＥ８０２．３信号から抽出されたＰＰＰパケットがＰＰＰデータパケットであるとの第１の判別を行い、また、その値が「８０２１又はｃ０２１」であるとき、イサーネット／ＩＥＥＥ８０２．３信号から抽出されたＰＰＰパケットがＰＰＰ制御パケットであるとの第２の判別を行い、その判別結果をパケットスイッチモジュール６１１に供給する。
【００５７】
パケットスイッチモジュール６１１は、イサーネット／ＩＥＥＥ８０２．３インターフェースブロック６ｎＵから転送されたＭＡＣアドレス及び判別結果に基づくスイッチングをイサーネット／ＩＥＥＥ８０２．３フレームのパケットについて行い、また、ＰＯＳ  ＯＣ−１２Ｃインターフェースブロック６１３から転送されるＩＰアドレスに基づくスイッチングをＰＰＰパケットについて行う。
【００５８】
ＰＯＳ  ＯＣ−１２Ｃインターフェースブロック６１２は、アクセスゲートウェイ６１とバックボーンネットワーク８１との間のインターフェース機能を行う。すなわち、パケットスイッチモジュール６１１に入力されたイサーネット／ＩＥＥＥ８０２．３フレームのパケット内のＰＰＰパケットがＰＰＰデータパケットである、すなわち、判別結果が第１の判別であるとき、そのＰＰＰパケット（図１７の（ａ））は、ＰＯＳ  ＯＣ−１２Ｃインターフェースブロック６１２を経て出力されるが、その際に、ＰＰＰパケットはＰＰＰ終端処理されると共に、そのＰＰＰ終端処理されたＰＰＰパケットは、ＰＰＰパケットインＰＰＰパケット（そのフレームは図１７の（ｂ））に変換され、そのＰＰＰパケットインＰＰＰパケットは、図１８に示すＳＤＨ／ＳＯＮＥＴフレーム形式のＰＯＳ信号（ＰＯＳＯＣ−１２ｃ信号）に電気−光変換されてＰＯＳ  ＯＣ−１２Ｃインターフェース７１を経てバックボーンネットワーク８１へ送信させる動作を行う。
【００５９】
ＰＯＳ  ＯＣ−１２Ｃインターフェースブロック６１３は、バックボーンネットワーク８１からＰＯＳ  ＯＣ−１２Ｃインターフェース７１を経て受信されるＰＯＳ信号に対するインターフェース機能を行う。すなわち、ＰＯＳ信号に対しＰＰＰ終端処理（バックボーンネットワーク８１とアクセスゲートウェイ６１との間のＰＰＰ終端処理）、すなわち、ＰＯＳ信号からＰＰＰパケットを抽出し、ＰＰＰパケットのプロトコルフィールドの付加処理をして（プロトコルフィールドの値を００２１に設定して）ＰＰＰパケットとする。このＰＰＰ終端処理により、ＰＯＳ信号はＰＰＰパケットとされてパケットスイッチモジュール６１１に転送される。
【００６０】
ＣＰＵ盤６１４Ａは、上記第２の判別に基づいて、図２２及び図２３に示すＰＰＰ制御パケットの転送処理をプログラム制御により行い、アクセスゲートウェイ６１のＣＰＵ盤６１４Ａと加入者装置２ｎｍとの間で必要なＰＰＰ処理のためのＰＰＰ制御パケットの転送を行う。
【００６１】
イサーネット／ＩＥＥＥ８０２．３インターフェースブロック６ｎＤは、パケットスイッチモジュール６１１でスイッチングされたイサーネット／ＩＥＥＥ８０２．３フレームのパケット又はＰＰＰパケットを受け取ってイサーネット／ＩＥＥＥ８０２．３フレームのフレームヘッダ（ＭＡＣアドレスを含む）を付加した後、そのイサーネット／ＩＥＥＥ８０２．３フレームのパケットをイサーネット／ＩＥＥＥ８０２．３信号に変換してイサーネット／ＩＥＥＥ８０２．３インターフェース５ｎＤ上に出力する。
上記付加されるＭＡＣアドレスとしては、アクセスゲートウェイ６１から信号が出力される送信元識別アドレス（ＳＲＣ  ＭＡＣ  Ａｄｒｅｓｓ）（多重化系内を通信信号が通る信号識別部の識別アドレス）と加入者多重化／多重分離装置４ｎへ信号が入力される宛先識別アドレス（ＤＳＴ  ＭＡＣ  Ａｄｒｅｓｓ）（多重化系内を通信信号が通る信号識別部の識別アドレス）とが含められる。送信元識別アドレス及び宛先識別アドレスとしては、信号を出力する若しくは信号が入力される装置自体のアドレス、又は装置から信号が出力されるポート若しくは装置へ信号が入力されるポートのアドレスである。
【００６２】
イサーネット／ＩＥＥＥ８０２．３インターフェースブロック６ｎＤにおけるＭＡＣアドレスの付加例を図４を参照して以下に説明する。
図４に示すように、アクセスゲートウェイ６１から加入者多重化／多重分離装置４ｎへ出力されるイサーネット／ＩＥＥＥ８０２．３フレームに付加されるＭＡＣアドレス（ＤＳＴ  ＭＡＣ  Ａｄｒｅｓｓ／ＳＲＣ  ＭＡＣ  Ａｄｒｅｓｓ）としては、２０１１／３０１１が付加される。２０１１は、加入者多重化／多重分離装置４ｎから送信先の加入者装置２ｎｍへ向かう出力ポートのアドレスであり、３０１１は、アクセスゲートウェイ６１から送信先の加入者多重化／多重分離装置４ｎへ向かうアクセスゲートウェイ６１の出力ポートのアドレスである。
【００６３】
次に、図１乃至図１４を参照して、この実施例の動作について説明する。
先ず、加入者（パーソナルコンピュータ１ｎｍｌ）側からバックボーンネットワーク８１側へのＩＰパケットの送信について説明する。
パーソナルコンピュータ１ｎｍｌが、インターネットにアクセスしようとする時に、ＩＰパケットを加入者装置２ｎｍへ向けて送信する。
そのＩＰパケットを受信した加入者装置２ｎｍは、受信したＩＰパケットにＰＰＰヘッダを付加し（図５のＡＴＵＵ−ＲのＩＰ、ＰＰＰ）、続いてイサーネット／ＩＥＥＥ８０２．３フレーム（図１２）のフレームヘッダを付加する（図５のＡＴＵＵ−ＲのＭＡＣ）。そして、加入者装置２ｎｍは、イサーネット／ＩＥＥＥ８０２．３フレームのフレームヘッダを付加したイサーネット／ＩＥＥＥ８０２．３フレームのパケットにアナログ変調を掛けて１００Ｋｂ／ｓのＡＤＳＬ／ＶＤＳＬ信号に変換して加入者多重化／多重分離装置４ｎへ伝送する。
【００６４】
各加入者装置２ｎｍからＡＤＳＬ／ＶＤＳＬインターフェース３ｎｍＵを経て伝送されて来たＡＤＳＬ／ＶＤＳＬ信号は、加入者多重化／多重分離装置４ｎのうちの対応するＡＤＳＬ／ＶＤＳＬインターフェースブロック４ｎ１で受信される。ＡＤＳＬ／ＶＤＳＬインターフェースブロック４ｎ１でＡＤＳＬ／ＶＤＳＬ信号からイサーネット／ＩＥＥＥ８０２．３フレームのパケット及び該パケット内のＭＡＣアドレスが抽出される。抽出されたイサーネット／ＩＥＥＥ８０２．３フレームのパケットは、抽出されたＭＡＣに基づいて、多重化／多重分離ブロック４ｎ２を構成する加入者ライン数（ＡＤＳＬ／ＶＤＳＬインターフェース３ｎｍＵの数）（Ｍ個）のＦＩＦＯのうちの対応するＦＩＦＯに書き込まれる（図５のＤＳＬＡＭのＭＡＣ）。
【００６５】
各ＡＤＳＬ／ＶＤＳＬインターフェース３ｎｍＵ上のＡＤＳＬ／ＶＤＳＬ信号によって伝送されて来るイサーネット／ＩＥＥＥ８０２．３フレームのパケットは、当該パケットに含まれるＰＰＰパケット内のＩＰパケット（図１４）のバイト数フィールド（レングスフィールド）（ＩＰパケットの第３バイト及び第４バイトに位置されるフィールド）が示すＩＰパケットのバイト数を参照して、多重化／多重分離ブロック４ｎ２のＭ個のＦＩＦＯのうちの入力されたイサーネット／ＩＥＥＥ８０２．３フレームのパケットに対応するＦＩＦＯに書き込む。
このようなＭ個のＦＩＦＯへのイサーネット／ＩＥＥＥ８０２．３フレームのパケットの書き込みと、そのＭ個のＦＩＦＯのうちの第１番目のＦＩＦＯから第Ｎ番目のＦＩＦＯまでの順でのイサーネット／ＩＥＥＥ８０２．３フレームのパケットの読み出しとにより、パケットの多重化が行われる。
【００６６】
この多重化の例を以下に説明する。
例えば、図４に示すように、加入者装置２ｎｍから、例えば、数１００ｋｂ／ｓ程度のスループットを有するＡＤＳＬ／ＶＤＳＬインターフェース３ｎｍＵを経て伝送されて来るＡＤＳＬ／ＶＤＳＬ信号内のイサーネット／ＩＥＥＥ８０２．３フレームのパケット（図６、図７の２ｎｍ）は、ＭＡＣアドレスの送信元識別アドレスとして１０２１を有し、宛先識別アドレスとして２０１１を有し（１０２１は、加入者装置２ｎｍのアドレスであり、２０１１は加入者多重化／多重分離装置４ｎの対応入力ポートのアドレスである）、そのイサーネット／ＩＥＥＥ８０２．３フレームのパケットは、送信元識別アドレスで指定されてパケット待ち行列を記憶するＦＩＦＯ  ４ｎ２ｍ（図７）に入力されてそこに書き込まれる。
【００６７】
この書き込み動作と同様の書き込み動作は、他の加入者装置２ｎ１、２ｎ２、…、２ｎ（ｍ−１）、２ｎ（ｍ＋１）、２ｎ（ｍ＋２）、…、２ｎＭから入力されるそれぞれのイサーネット／ＩＥＥＥ８０２．３フレームのパケットについても行われる。これら各イサーネット／ＩＥＥＥ８０２．３フレームのパケットについてのＦＩＦＯは、ＦＩＦＯ  ４ｎ２１、ＦＩＦＯ  ４ｎ２２、…、ＦＩＦＯ  ４ｎ２（ｍ−１）、ＦＩＦＯ  ４ｎ２（ｍ＋１）、ＦＩＦＯ  ４ｎ２（ｍ＋２）、…、ＦＩＦＯ  ４ｎ２Ｍである。
この書き込み後に、ＦＩＦＯ  ４ｎ２１、ＦＩＦＯ  ４ｎ２２、…、ＦＩＦＯ  ４ｎ２Ｍの順で読み出し動作が行われる。
【００６８】
上述したような書き込み及び読み出しにより、イサーネット／ＩＥＥＥ８０２．３フレームのパケットの多重化が行われるが、その際に、加入者を識別するために、ＭＡＣアドレスとして、加入者多重化／多重分離装置４ｎの対応入力ポートのアドレス又は加入者装置２ｎｍのアドレスが付加されたイサーネット／ＩＥＥＥ８０２．３フレームのパケットが加入者多重化／多重分離装置４ｎから、例えば、１０Ｍｂ／ｓのスループットで読み出されて多重化され、その多重化されたイサーネット／ＩＥＥＥ８０２．３信号が、イサーネット／ＩＥＥＥ８０２．３インターフェースブロック４ｎ３からイサーネット／ＩＥＥＥ８０２．３インターフェース５ｎＵを経てアクセスゲートウェイ６１へ伝送される。
【００６９】
アクセスゲートウェイ６１において、イサーネット／ＩＥＥＥ８０２．３フレーム形式のイサーネット／ＩＥＥＥ８０２．３信号に乗せられて伝送されて来るイサーネット／ＩＥＥＥ８０２．３フレームのパケット及び該パケットのＭＡＣアドレスが抽出され、また、該パケット内のＰＰＰパケットが、ＰＰＰ制御パケットであるか又はＰＰＰデータパケットであるかの判別をイサーネット／ＩＥＥＥ８０２．３インターフェースブロック６ｎＵにて行う。
その判別は、入力されたＰＰＰパケットのプロトコルフィールド（ＰｒｏｔｏｃｏＩ  Ｆｉｅ１ｄ）（図２１）の値によって行う。
【００７０】
入力されたＰＰＰパケットがＰＰＰ制御パケットである場合、すなわち、入力されたＰＰＰパケットのプロトコルフィールドの値がｃ０２１又は８０２１を示している場合には、イサーネット／ＩＥＥＥ８０２．３フレームのパケットは、ＭＡＣアドレスに基づいて、パケットスイッチモジュール６１１内の図示しないメモリに加入者装置別に待ち行列６１１１〜６１１Ｍ（図１０）として記憶された後、イサーネット／ＩＥＥＥ８０２．３フレームのＰＰＰ制御パケットは、ＣＰＵ盤６１４Ａに転送され、つまり、パケットスイッチングモジュール６１１でスイッチングされ（図５のＡＧのＭＡＣ）、ＣＰＵ盤６１４は、図２に示されるように、ＣＰＵ盤６１４と加入者装置２ｎｍとの間で必要なＰＰＰ処理のためのＰＰＰ制御パケットの転送を行い、図２２及び図２３に示す処理を行う。この処理自体は、公知のリンク確立の処理である。
【００７１】
これを簡潔に説明すると、次の通りである。
ＣＰＵ盤６１４と加入者装置２ｎｍとの間でＰＰＰ制御パケットの転送により、ＰＰＰ制御パケットの制御情報の交換が、両者間で行われる。これにより、アクセスゲートウェイ６１において、各加入者別のＰＰＰ処理である認証、課金、帯域及び最小遅延（ＱｏＳの確保）等の一連の処理が完了する。
アクセスゲートウェイ６１において、各加入者別のＰＰＰ処理において、先ず、転送されるＰＰＰ制御パケットは、従来の技術の項で述べたように、ＬＣＰであり、続いてＮＣＰが転送される（図２３）。これにより、ＰＰＰ処理が行われる。
【００７２】
上述したようにして、リンクがパーソナルコンピュータ１ｎｍｌとアクセスゲートウェイ６１との間に確立されると、次に、パーソナルコンピュータ１ｎｍｌからＩＰデータが送出される。送出されたＩＰデータは、上述したと同様にして、加入者装置２ｎｍ、そして加入者多重化／多重分離装置４ｎを経てイサーネット／ＩＥＥＥ８０２．３フレームのパケットにされてアクセスゲートウェイ６１へ伝送されて来る。
そのイサーネット／ＩＥＥＥ８０２．３フレームのパケット内のＰＰＰパケットがＰＰＰデータパケットであるか否かは、入力されたＰＰＰパケットのプロトコルフィールドの値が００２１を示しているか否かで決まり（図２１）、この場合にも、ＰＰＰデータパケットは、ＭＡＣアドレスに基づいて、パケットスイッチモジュール６１１内の図示しないメモリに待ち行列６１１１〜６１１Ｍ（図１０）として記憶された後、各ＰＰＰデータパケット別に当該ＰＰＰデータパケットを送信した加入者装置２ｎｍとアクセスゲートウェイ６１との間で必要なＰＰＰ処理のために加入者装置２ｎｍで付加されたＰＰＰヘッダをＰＰＰデータパケット（図１７の（ａ））からＰＯＳ  ＯＣ−１２Ｃインターフェースブロック６１２で取り除き、そして、ＰＰＰヘッダを取り除いたＰＰＰパケットにＰＯＳ用の新たなＰＰＰヘッダを付加する。
この新たなＰＰＰヘッダが付加されたフレーム（図１７の（ｂ））は、ＰＯＳＯＣ−１２Ｃインターフェースブロック６１２から６２０Ｍｂ／ｓのＳＤＨ／ＳＯＮＥＴフレーム形式のＰＯＳ信号（図１８）（ＰＯＳ  ＯＣ−１２ｃ信号）に乗せられてＰＯＳ  ＯＣ−１２Ｃインターフェース７１を経てバックボーンネットワーク８１へ伝送される。
【００７３】
次に、バックボーンネットワーク８１側から加入者（パーソナルコンピュータ１ｎｍｌ）側への（下り方向への）ＩＰパケットの送信について説明する。
バックボーンネットワーク８１から下り方向へのＩＰパケットの転送に際して、バックボーンネットワーク８１においてそのＩＰパケットにＰＰＰヘッダの付加処理（ＰＰＰ  Ｅｎｃａｐｓｕｌａｔｉｏｎ）が施された（マッピングされた）ＰＰＰパケットを納めたＰＰＰパケットインＰＰＰパケットフレームのパケット（図１７の（ｂ））が乗せられた６２０Ｍｂ／ｓのＳＤＨ／ＳＯＮＥＴフレーム形式のＰＯＳ信号（図１８）がＰＯＳ  ＯＣ−１２Ｃインターフェース７１を経てアクセスゲートウェイ６１へ伝送されて来る。
【００７４】
そのＰＯＳ信号に乗せられているＰＰＰパケットインＰＰＰパケットフレームのパケットを受信するＰＯＳ  ＯＣ−１２Ｃインターフェースブロック６１３において、バックボーンネットワーク−ＡＧ間のＰＰＰ処理が施される。バックボーンネットワーク−ＡＧ間のＰＰＰ処理は、バックボーンネットワーク−ＡＧ間で授受される最大パケット長（ＭＴＵ（Ｍａｘｉｍｕｍ  Ｔｒａｎｓｆｅｒ  Ｕｎｉｔ）サイズ）の決定等を行う。そのＰＰＰ処理において、ＰＰＰパケットインＰＰＰパケットフレームのパケット内のＰＰＰパケットのＰＰＰヘッダが取り除かれる。
バックボーンネットワーク−ＡＧ間のＰＰＰ処理後に、加入者への転送のためのＰＰＰ処理のためのプロトコルフィールドの値として００２１をＰＰＰパケットに付加しそのＰＰＰパケット及び当該ＰＰＰパケットのＩＰアドレスがＰＯＳＯＣ−１２Ｃインターフェースブロック６１３からパケットスイッチモジュール６１１へ出力される。
【００７５】
パケットスイッチモジュール６１１に転送されて来たいずれのＰＰＰパケットも、すべて、ＩＰアドレスに基づいて、そのメモリに加入者別に待ち行列形式で書き込まれる（図１１）。書き込まれる待ち行列６１１１〜６１１Ｍは、待ち行列別に優先順位が付されている。例えば、図１１においては、図示の加入者装置２ｎｍへ向かう待ち行列６１１ｍに対して最高の優先順位が付され、他の待ち行列６１１１、６１１２、…、６１１ｎ（ｍ−１）、６１１（ｍ＋１）、６１１（ｍ＋２）、…、６１１Ｍにはより低い優先順位が付されている。
したがって、最高の優先順位が付された待ち行列６１１ｍは、他の待ち行列のＰＰＰパケットよりも優先的に処理が行われる。それ故、待ち行列６１１ｍに書き込まれているＰＰＰパケットのアクセスゲートウェイ６１における遅延は、最小の遅延時間経過後にイサーネット／ＩＥＥＥ８０２．３インターフェースブロック６ｎＤへ出力される。
また、このようなＰＰＰパケットの伝送において、確保されるべき帯域が６Ｍｂ／ｓであるとされるときには、最大帯域が６Ｍｂ／ｓとなるようなトラフィックシェーピング（パケットの細分化処理）が行われる。
【００７６】
そして、パケットスイッチモジュール６１１内でＰＰＰパケットのパケットスイッチングが行われてパケットスイッチモジュール６１１からイサーネット／ＩＥＥＥ８０２．３インターフェースブロック６ｎＤへ転送される。
イサーネット／ＩＥＥＥ８０２．３インターフェースブロック６ｎＤにおいて、各加入者のＭＡＣアドレスが付加され（図５のＡＧのＭＡＣ）、イサーネット／８０２．３フレーム形式のイサーネット／ＩＥＥＥ８０２．３信号に変換されて加入者多重化／多重分離装置４ｎへ伝送される。
【００７７】
イサーネット／ＩＥＥＥ８０２．３信号は、加入者多重化／多重分離装置４ｎのイサーネット／ＩＥＥＥ８０２．３インターフェースブロック４ｎ４で受信される。イサーネット／ＩＥＥＥ８０２．３インターフェースブロック４ｎ４でイサーネット／ＩＥＥＥ８０２．３信号からイサーネット／ＩＥＥＥ８０２．３フレームのパケット及びＭＡＣアドレスが出力される。
【００７８】
そして、イサーネット／ＩＥＥＥ８０２．３インターフェースブロック４ｎ４から出力されたイサーネット／ＩＥＥＥ８０２．３フレームのパケット及びＭＡＣアドレスは多重化／多重分離ブロック４ｎ５に供給される。多重化／多重分離ブロック４ｎ５の複数のＦＩＦＯにおいて、ＭＡＣアドレスに基づいてイサーネット／ＩＥＥＥ８０２．３フレームのパケットの多重分離が行われる（図５のＤＳＬＡＭのＭＡＣ）。その多重分離のために、例えば、加入者装置２ｎｍへ伝送されるべきイサーネット／ＩＥＥＥ８０２．３フレームのパケットは、対応するＦＩＦＯ４ｎ５ｍに書き込まれる。
これらのＦＩＦＯ４ｎ５１〜４ｎ５Ｍの記憶容量は、いずれも、ＡＤＳＬ／ＶＤＳＬインターフェース３ｎｍＵのスループットと各ＦＩＦＯの書き込み速度及び読み出し速度との関連において、ＱｏＳを満足させるだけの記憶容量とされているが、パケット長が長くなり、各ＦＩＦＯの記憶容量を超える状態が発生したとしても、アクセスゲートウェイ６１のトラフィックシェーピングにより、当該パケットはフラグメント（細分化）されて伝送されて来るので、いずれのＦＩＦＯから溢れてしまうことはない。
【００７９】
上述のようにしてＦＩＦＯの各々に待ち行列形式で記憶されたパケットは、ＦＩＦＯの各々から読み出され、ＡＤＳＬ／ＶＤＳＬインターフェースブロック４ｎ６においてイサーネット／ＩＥＥＥ８０２．３フレームのパケットを乗せたＶＤＳＬ／ＡＤＳＬ信号とされた後、そのＶＤＳＬ／ＡＤＳＬ信号が加入者装置２ｎｍへ伝送される。加入者装置２ｎｍでは、受信したＶＤＳＬ／ＡＤＳＬ信号内のヘッダ情報であるイサーネット／ＩＥＥＥ８０２．３フレームのフレームヘッダ及びＰＰＰヘッダを取り除きＩＰパケットを再生する（図５のＡＴＵＵ−ＲのＭＡＣ）。そのＩＰパケットは、加入者装置２ｎｍからパーソナルコンピュータ１ｎｍｌへ伝送される。
【００８０】
このように、この例の構成によれば、各加入者装置２ｎｍからのイサーネット／ＩＥＥＥ８０２．３フレームのパケットを加入者多重化／多重分離装置４ｎにおいて、ＭＡＣアドレスに基づいて多重化してイサーネット／ＩＥＥＥ８０２．３信号として出力し、イサーネット／ＩＥＥＥ８０２．３信号内の各イサーネット／ＩＥＥＥ８０２．３フレームのパケットにして出力することができるし、アクセスゲートウェイ６１からのイサーネット／ＩＥＥＥ８０２．３フレームのパケットをＭＡＣアドレスに基づいて加入者多重化／多重分離装置４ｎで多重分離することができる。
また、各加入者装置２ｎｍ、各加入者多重化／多重分離装置４ｎ及びアクセスゲートウェイ６１のいずれにおける処理も、ＭＡＣアドレスで行い得るように構成し、従来技術で必要としたＡＡＬ５レイヤを不要としたので、従来技術でのＡＴＭスイッチは不要になり、システム構成の簡略化を達成し得る。
このシステムの簡略化の下で、加入者のＱｏＳを確保することができる。
【００８１】
◇第２実施例
図１５は、この発明の第２の実施例であるアクセスネットワークシステムの電気−光学的構成を示す図、図１６は、同アクセスネットワークシステムの詳細構成を示す図、図１７は、ＰＰＰパケットのフォーマット及びＰＰＰパケットインＰＰＰパケットのフォーマットを示す図、図１８は、ＳＤＨ／ＳＯＮＥＴフレームのフォーマットを示す図である。
この実施例の構成が、第１実施例のそれと大きくところは、第１実施例の加入者多重化／多重分離装置とアクセスゲートウェイとの間をＰＯＳ  ＯＣ−３ｃインターフェースで接続して構成し、この変更に伴う変更を加入者多重化／多重分離装置及びアクセスゲートウェイに加えて構成した点にある。
【００８２】
すなわち、この実施例のアクセスネットワークシステム１０Ａは、第１実施例のＭＡＣレイヤによるＰＰＰの処理と同等のＰＰＰ処理を行うシステムに係り、図１５に示すように、加入者装置２ｎｍ、加入者多重化／多重分離装置４ｎＡ及びアクセスゲートウェイ６１Ａから概略構成されている。
加入者多重化／多重分離装置４ｎＡとアクセスゲートウェイ６１Ａとは、ＰＯＳ  ＯＣ−３ｃインターフェース５ｎＡＵ及びＰＯＳ  ＯＣ−３ｃインターフェース５ｎＡＤで接続されている。
【００８３】
そして、加入者多重化／多重分離装置４Ａｎは、ＡＤＳＬ／ＶＤＳＬインターフェースブロック４ｎ１、多重化ブロック４ｎ２、ＰＯＳ  ＯＣ−３ｃインターフェースブロック４ｎ３Ａ、ＰＯＳ  ＯＣ−３ｃインターフェースブロック４ｎ４Ａ、多重分離ブロック４ｎ５Ａ及びＡＤＳＬ／ＶＤＳＬインターフェースブロック４ｎ６Ａを含んで構成されている。ＰＯＳ  ＯＣ−３ｃインターフェースブロック４ｎ３Ａ及びＰＯＳ  ＯＣ−３ｃインターフェースブロック４ｎ４ＡのＯＣ−３ｃは、通信速度を表す表記で、その通信速度は、１５５Ｍｂ／ｓである。
【００８４】
アクセスゲートウェイ６１Ａは、ＰＯＳ  ＯＣ−３ｃインターフェースブロック６ｎＵＡ、パケットスイッチモジュール６１１Ａ、ＰＯＳ  ＯＣ−１２ｃインターフェースブロック６１２、ＰＯＳ  ＯＣ−１２ｃインターフェースブロック６１３、ＣＰＵ盤６１４Ａ及びＰＯＳ  ＯＣ−３ｃインターフェースブロック６ｎＤＡを含んで構成されている。
【００８５】
先ず、加入者多重化／多重分離装置４Ａｎを構成する構成要素の詳細について説明する。
ＰＯＳ  ＯＣ−３ｃインターフェースブロック４ｎ３Ａは、加入者多重化／多重分離装置４Ａｎとアクセスゲートウェイ６１Ａとのインターフェース機能を行う。すなわち、多重化されたＰＯＳ  ＯＣ−３ｃフレームのパケット内のＰＰＰパケットをＰＰＰパケットインＰＰＰパケットフレームのパケットを収容するＳＤＨ／ＳＯＮＥＴフレーム形式のＰＯＳ信号（ＰＯＳ  ＯＣ−３ｃ信号）に変換してＰＯＳ  ＯＣ−３ｃインターフェース５ｎＡＵ上に出力する。
【００８６】
ＰＯＳ  ＯＣ−３ｃインターフェースブロック４ｎ４Ａは、アクセスゲートウェイ６１Ａと加入者多重化／多重分離装置４Ａｎとのインターフェース機能を行う。すなわち、アクセスゲートウェイ６１ＡのＰＯＳ  ＯＣ−３ｃインターフェースブロック６ｎＤＡから出力されるＰＯＳ信号を受信して各ＰＰＰパケットインＰＰＰパケット内のＰＰＰパケット及びＩＰアドレスを抽出し、そのＰＰＰパケットインＰＰＰパケット内のＰＰＰパケット及び該ＰＰＰパケット内のＩＰアドレスを多重分離ブロック４ｎ５Ａに転送する。
多重分離ブロック４ｎ５Ａは、ＰＯＳ  ＯＣ−３ｃインターフェースブロック４ｎ４Ａから転送されるＰＰＰパケットの多重分離処理を複数個のＦＩＦＯを用いて行う。この多重分離は、入力されたＩＰアドレスに基づいて行う。
ＡＤＳＬ／ＶＤＳＬインターフェースブロック４ｎ６Ａは、加入者装置２ｎｍ毎に設けられ、多重分離ブロック４ｎ５Ａで多重分離されたＰＰＰパケット別のインターフェイス機能を対応加入者について行う。すなわち、多重分離されたＰＰＰパケット毎に、そのＰＰＰパケットをイサーネット／ＩＥＥＥ８０２．３フレーム形式のＡＤＳＬ／ＶＤＳＬ信号に変換して変換されたＡＤＳＬ／ＶＤＳＬ信号を対応する加入者装置へ転送する。
【００８７】
次に、アクセスゲートウェイ６１Ａを構成する各構成要素の詳細について説明する。
ＰＯＳ  ＯＣ−３ｃインターフェースブロック６ｎＵＡは、ＰＯＳ  ＯＣ−３ｃインターフェース５ｎＡＵを経て加入者多重化／多重分離装置４Ａｎから入力されるＰＯＳ信号に対するインターフェース機能を行う。すなわち、ＰＯＳ信号を受信してＰＰＰパケットインＰＰＰパケット内のＰＰＰパケット及び該ＰＰＰパケット内のＩＰアドレスを抽出し、抽出されたＰＰＰパケット及び該ＰＰＰパケット内のＩＰアドレスをパケットスイッチモジュール６１１Ａに転送する。
【００８８】
また、ＰＯＳ  ＯＣ−３ｃインターフェースブロック６ｎＵＡは、抽出されたＰＰＰパケットのプロトコルフィールドが示している値を参照し、その値が「００２１」であるとき、抽出されたＰＰＰパケットがＰＰＰデータパケットであるとの第１の判別を行い、また、その値が「８０２１又はｃ０２１」であるとき、抽出されたＰＰＰパケットがＰＰＰ制御パケットであるとの第２の判別を行い、その判別結果をパケットスイッチモジュール６１１Ａに供給する。
【００８９】
パケットスイッチモジュール６１１Ａは、ＰＯＳ  ＯＣ−３ｃインターフェースブロック６ｎＵＡから転送されたＩＰアドレス及び判別結果に基づくスイッチングをＰＰＰパケットについて行い、また、ＰＯＳ  ＯＣ−１２ｃインターフェースブロック６１３から転送されるＩＰアドレスに基づくスイッチングをＰＰＰパケットについて行う。
【００９０】
ＣＰＵ盤１４Ａは、上記第２の判別に基づいて、アクセスゲートウェイ６１ＡのＣＰＵ盤６１４Ａと加入者装置２ｎｍとの間で必要な第１のＰＰＰ処理のためのＰＰＰ制御パケットの転送処理と、アクセスゲートウェイ６１ＡのＣＰＵ盤６１４Ａと加入者多重化／多重分離４ｎＡとの間で必要な第２のＰＰＰ処理のためのＰＰＰ制御パケットの転送処理とをプログラム制御により行う（図２２及び図２３）。
上記第１のＰＰＰ処理は、第１実施例におけるアクセスゲートウェイ６１のＣＰＵ盤６１４と加入者装置２ｎｍとの間で行うＰＰＰ処理と同一内容の処理である。
また、第２のＰＰＰ処理は、第１実施例におけるバックボーンネットワーク８１とアクセスゲートウェイ６１との間で行うＰＰＰ処理と同一内容の処理であり、アクセスゲートウェイ−加入者多重化／多重分離装置間で授受される最大パケット長（ＭＴＵ（Ｍａｘｉｍｕｍ  Ｔｒａｎｓｆｅｒ  Ｕｎｉｔ）サイズ）の決定等を行う。
【００９１】
ＰＯＳ  ＯＣ−３ｃインターフェースブロック６ｎＤＡは、パケットスイッチモジュール６１１ＡでスイッチングされたＰＰＰパケットを受け取ってＰＰＰパケットインＰＰＰパケットに組み立て、そのＰＰＰパケットインＰＰＰをＳＤＨ／ＳＯＮＥＴ形式のＰＯＳ信号に変換してＰＯＳ  ＯＣ−３ｃインターフェース５ｎＡＤ上に出力する。
【００９２】
したがって、アクセスゲートウェイ６１ＡのＣＰＵ盤６１４Ａ及び加入者装置２ｎｍは、上記第１のＰＰＰ処理を行い得るようにその全体が構成されている。また、アクセスゲートウェイ６１ＡのＣＰＵ盤６１４Ａ及び加入者多重化／多重分離４ｎＡは、上記第２のＰＰＰ処理を行い得るようにその全体が構成されている。
これらの構成を除く各部の構成は、第１実施例と同一構成であるので、それらの各部には第１実施例と同一の参照符号を付してその説明を省略する。
【００９３】
次に、図１５〜図１８を参照してこの実施例の動作について説明する。
この実施例における動作は、次の点を除き、第１実施例と同様である。
加入者多重化／多重分離装置４ｎＡの多重化ブロック４ｎ２で多重化された各イサーネット／ＩＥＥＥ８０２．３フレームのパケット内のＰＰＰパケットは、ＰＯＳ  ＯＣ−３ｃインターフェースブロック４ｎ３Ａにおいて、ＰＰＰパケットインＰＰＰパケット（図１７）とされ、そしてＳＤＨ／ＳＯＮＥＴフレーム形式のＰＯＳ信号（ＰＯＳ  ＯＣ−３ｃ信号）に変換されてＰＯＳ  ＯＣ−３ｃインターフェース５ｎＡＵ上へ伝送される。
【００９４】
ＰＯＳ  ＯＣ−３ｃインターフェース５ｎＡＵを経てＰＯＳ信号を受信したＰＯＳ  ＯＣ−３ｃインターフェースブロック６ｎＵＡは、ＰＰＰパケットインＰＰＰパケットのＰＰＰパケット及びＩＰアドレスを抽出する。
ＰＯＳ  ＯＣ−３ｃインターフェースブロック６ｎＵＡは、また、抽出したＰＰＰパケット中のプロトコルフィールドの内容を調べてＰＰＰパケットがＰＰＰデータパケットであるかＰＰＰ制御パケットであるかを判別する。ＰＰＰパケット及びＩＰアドレス並びに判別結果をパケットスイッチモジュール６１１Ａに転送する。
判別結果には、ＰＰＰパケットがＰＰＰデータパケットであるときの第１の判別結果と、ＰＰＰパケットがＰＰＰ制御パケットであるときの第２の判別結果とがある。
【００９５】
パケットスイッチモジュール６１１Ａが、ＰＰＰパケット及びＩＰアドレスと第１の判別結果とを受けると、パケットスイッチモジュール６１１Ａは、ＩＰアドレスによってＰＰＰパケットを第１実施例と同様、ＰＯＳ  ＯＣ−１２ｃインターフェースブロック６１３にスイッチングしてＰＯＳ  ＯＣ−１２ｃインターフェースブロック６１３からＰＯＳ  ＯＣ−１２ｃインターフェース７１上にＳＤＨ／ＳＯＮＥＴフレーム形式（図１８）のＰＯＳ信号を伝送する。
【００９６】
パケットスイッチモジュール６１１Ａが、ＰＰＰパケット及びＩＰアドレスと第２の判別結果とを受けると、パケットスイッチモジュール６１１Ａは、ＩＰアドレスによってＰＰＰパケットを第１実施例と同様、ＣＰＵ盤６１４Ａにスイッチングする。
【００９７】
ＣＰＵ盤６１４Ａは、上記第２の判別に基づいて、図２２及び図２３に示すアクセスゲートウェイ６１ＡのＣＰＵ盤６１４Ａと加入者装置２ｎｍとの間のＰＰＰ制御パケットの転送処理と、アクセスゲートウェイ６１ＡのＣＰＵ盤６１４Ａと加入者多重化／多重分離４ｎＡとの間のＰＰＰ制御パケットの転送処理をプログラム制御により行い、アクセスゲートウェイ６１ＡのＣＰＵ盤６１４Ａと加入者装置２ｎｍとの間で必要な第１のＰＰＰ処理と、アクセスゲートウェイ６１ＡのＣＰＵ盤６１４Ａと加入者多重化／多重分離４ｎＡとの間で必要な第２のＰＰＰ処理とを行う。
【００９８】
また、バックボーンネットワーク８１からＰＯＳ  ＯＣ−１２ｃインターフェース７１を介してへ伝送されて来たＳＤＨ／ＳＯＮＥＴ形式のＰＯＳ信号は、ＰＯＳ  ＯＣ−１２ｃインターフェースブロック６１３において、第１実施例と同様、ＰＰＰパケットインＰＰＰパケット内のＰＰＰパケット及び該ＰＰＰパケット中のＩＰアドレスが抽出されてパケットスイッチモジュール６１１Ａへ転送されてＩＰアドレスに基づくスイッチングが行われて上記ＰＰＰパケットはＰＯＳＯＣ−３ｃインターフェースブロック６ｎＤＡへ転送される。
【００９９】
ＰＯＳ  ＯＣ−３ｃインターフェースブロック６ｎＤＡは、受け取ったＰＰＰパケットをＳＤＨ／ＳＯＮＥＴ形式のＰＯＳ信号（ＰＯＳ  ＯＣ−３ｃ信号）に変換してＰＯＳ  ＯＣ−３ｃインターフェース５ｎＡ上に伝送する。
【０１００】
ＰＯＳ  ＯＣ−３ｃインターフェース５ｎＡからＰＯＳ信号を受信したＰＯＳ  ＯＣ−３ｃインターフェースブロック４ｎ４Ａは、ＰＯＳ信号内の各ＰＰＰパケットインＰＰＰパケットからＰＰＰパケット及び該ＰＰＰパケット中のＩＰアドレスを抽出して多重分離ブロック４ｎ５Ａへ転送する。
多重分離ブロック４ｎ５Ａは、受信したＩＰアドレスに基づいて受信した各ＰＰＰパケットを多重分離してＡＤＳＬ／ＶＤＳＬインターフェースブロック４ｎ６Ａへ転送する。
【０１０１】
ＡＤＳＬ／ＶＤＳＬインターフェースブロック４ｎ６Ａは、多重分離ブロック４ｎ５Ａから転送されたＰＰＰパケットをイサーネット／ＩＥＥＥ８０２．３フレーム形式のＡＤＳＬ／ＶＤＳＬ信号に変換して変換されたＡＤＳＬ／ＶＤＳＬ信号に対応する加入者装置４ｎｍへ伝送する。
【０１０２】
このように、この実施例の構成によれば、各加入者装置２ｎｍからのイサーネット／ＩＥＥＥ８０２．３フレームのパケットを加入者多重化／多重分離装置４ｎにおいて、ＭＡＣアドレスに基づいて多重化してＰＯＳ信号としてアクセスゲートウェイ６１Ａへ送信することができる。
また、アクセスゲートウェイ６１Ａから送信されて来るＰＯＳ信号内の各ＰＰＰパケットをＩＰアドレスに基づいて多重分離することができる。
また、各加入者装置２ｎｍの処理及び各加入者多重化／多重分離装置４ｎＡの多重化処理をＭＡＣアドレスで行い得るように構成し、かつ、アクセスゲートウェイ６１Ａ及び各加入者多重化／多重分離装置４ｎＡの多重分離処理をＩＰアドレスで行い得るように構成し、従来技術で必要としたＡＡＬ５レイヤを不要としたので、従来技術でのＡＴＭスイッチは不要になり、システム構成の簡略化を達成し得る。
このシステムの簡略化の下で、加入者のＱｏＳを確保することができる。
【０１０３】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、加入者多重化／多重分離装置４ｎにおける多重化をイサーネット／ＩＥＥＥ８０２．３フレームのパケットの代わりに、該パケット内のＰＰＰパケットについて多重化するようにしてもよい。この変更に伴って、イサーネット／ＩＥＥＥ８０２．３インターフェースブロック４ｎ１，４ｎ３の変更も必要になる。
また、加入者多重化／多重分離装置４ｎ、４ｎＡにおける多重化をＰＰＰパケットのＩＰアドレスに基づいて行うようにしてもよい。
さらには、上述のパケットをその他の通信信号とし、その通信信号の多重化又は多重分離を行うようにして本発明を実施し得る。
また、加入者多重化／多重分離装置４ｎ，４ｎＡにおける多重化及び多重分離をアクセスネットワークシステム以外のシステム等での実施も可能である。
さらには、ＰＯＳ信号としては、ＳＤＨ／ＳＯＮＥＴフレーム形式以外のフレーム形式の採用の下でも、本発明を実施可能である。
【０１０４】
【発明の効果】
以上説明したように、この発明の構成によれば、複数の通信信号の多重化を識別アドレスで行うことができ、複数の通信信号の多重化している多重化信号の多重分離を識別アドレスで行うことができる。
また、インターネットでの送受に用いられる複数のＰＰＰパケット等を多重化している多重化信号内のＰＰＰパケット等の多重分離を当該各ＰＰＰパケットのＩＰアドレスで行うことができる。
また、アクセスネットワークシステムにおける複数の加入者装置、複数の加入者多重化／多重分離装置及びアクセスゲートウェイのいずれにおける処理も、ＭＡＣアドレス又はＩＰアドレスで行い得るように構成し、従来技術で必要としたＡＡＬ５レイヤを不要としたので、従来技術でのＡＴＭスイッチは不要になり、システム構成の簡略化を達成し得る。
また、この効果は、アクセスネットワークシステムにおける複数の加入者装置の処理及び複数の加入者多重化／多重分離装の多重化処理をＭＡＣアドレスで行い得るように構成し、かつ、アクセスゲートウェイ及び複数の加入者多重化／多重分離装置の多重分離処理をＩＰアドレスで行い得るように構成した場合にも得られる。
このようなシステムの簡略化の下で、加入者のＱｏＳを確保することができる。
【図面の簡単な説明】
【図１】図１は、本発明の第１実施例であるアクセスネットワークシステムの電気的構成を示す図である。
【図２】同アクセスネットワークシステムの詳細構成におけるＰＰＰ制御パケットの流れを示す図である。
【図３】同アクセスネットワークシステムの詳細構成におけるＰＰＰデータパケットの流れを示す図である。
【図４】図２及び図３に示す加入者装置、加入者多重化／多重分離装置及びアクセスゲートウェイにＭＡＣアドレスを割り振った例を示す図である。
【図５】プロトコルスタックを示す図である。
【図６】図２に示すＡＤＳＬ／ＶＤＳＬインターフェースブロック、多重化ブロック及びイサーネット／ＩＥＥＥ８０２．３インターフェースブロックの機能を模式的に示す図である。
【図７】加入者多重化／多重分離装置における上り方向の多重化過程を示す図である。
【図８】図２に示すイサーネット／ＩＥＥＥ８０２．３インターフェースブロック、多重分離ブロック及びＡＤＳＬ／ＶＤＳＬインターフェースブロックの機能を模式的に示す図である。
【図９】加入者多重化／多重分離装置における下り方向の多重分離過程を示す図である。
【図１０】図２及び図３に示すパケットスイッチモジュールの上り方向における待ち行列書き込み及び待ち行列読み出しを模式的に示す図である。
【図１１】図２及び図３に示すパケットスイッチモジュールにおける下り方向の待ち行列書き込み及び待ち行列読み出しを模式的に示す図である。
【図１２】ＰＰＰパケットのフォーマット及びイサーネット／ＩＥＥＥ８０２．３フレームのパケットのフォーマットを示す図である。
【図１３】イサーネットフレームのフォーマットとＩＥＥＥ８０２．３フレームのフォーマットとの差異を示す図である。
【図１４】ＩＰパケットのフォーマットを示す図である。
【図１５】この発明の第２の実施例であるアクセスネットワークシステムの電気−光学的構成を示す図である。
【図１６】同アクセスネットワークシステムの詳細構成を示す図である。
【図１７】ＰＰＰパケットのフォーマット及びＰＰＰパケットインＰＰＰパケットのフォーマットを示す図である。
【図１８】ＳＤＨ／ＳＯＮＥＴフレームのフォーマットを示す図である。
【図１９】従来のアクセスネットワークシステムの電気的構成を示す図である。
【図２０】従来のプロトコルスタックを示す図である。
【図２１】ＰＰＰパケット内のプロトコルフィールドの値に応じてパケットデータが表す内容を示す図である。
【図２２】ＰＰＰリンク処理を示す図である。
【図２３】ＰＰＰ処理シーケンスを示す図である。
【符号の説明】
１０、１０Ａ      アクセスネットワークシステム
２ｎｍ      加入者装置（通信信号送信部、通信信号受信部）
４ｎ、４ｎＡ      加入者多重化／多重分離装置
４ｎ１      イサーネット／ＩＥＥＥ８０２．３インターフェースブロック（アドレス抽出手段、第１のアドレス抽出手段、第１の受信手段）
４ｎ２      多重化ブロック（多重化手段）
４ｎ４      イサーネット／ＩＥＥＥ８０２．３インターフェースブロック（アドレス抽出手段、第２のアドレス抽出手段、第２の受信手段）
４ｎ５、４ｎ５Ａ      多重分離ブロック（多重分離手段）
４ｎ４Ａ      ＰＯＳ  ＯＣ−３ｃインターフェースブロック（アドレス抽出手段、第２のアドレス抽出手段）
４ｎ３      イサーネット／ＩＥＥＥ８０２．３インターフェースブロック（第
１の送信手段）
４ｎ６      イサーネット／ＩＥＥＥ８０２．３インターフェースブロック（第
２の送信手段）
４ｎ６Ａ、      イサーネット／ＩＥＥＥ８０２．３インターフェースブロック
４ｎ３Ａ      ＰＯＳ  ＯＣ−３ｃインターフェースブロック
５ｎＵＡ      ＰＯＳ  ＯＣ−３ｃインターフェース（インターフェース）
５ｎＵ、５ｎＤ      イサーネット／ＩＥＥＥ８０２．３インターフェース
５ｎＤＡ      ＰＯＳ  ＯＣ−３ｃインターフェース
６１、６１Ａ      アクセスゲートウェイ（多重化信号受信部、多重化信号送信部、プロトコル終端装置）
６１２      ＰＯＳ  ＯＣ−１２ｃインターフェースブロック（第１のインターフェースブロック）
６ｎＵ      イサーネット／ＩＥＥＥ８０２．３インターフェースブロックイ
ンターフェロック（第２のインターフェースブロック）
６ｎＤ      イサーネット／ＩＥＥＥ８０２．３インターフェースブロックイ
ンターフェロック（第３のインターフェースブロック）
６ｎＵＡ      ＰＯＳ  ＯＣ−３ｃインターフェースブロック（第２のインターフェースブロック）
６ｎＤＡ      ＰＯＳ  ＯＣ−３ｃインターフェースブロック（第３のインターフェースブロック）
４ｎ３Ａ      ＰＯＳ  ＯＣ−３ｃインターフェースブロック
５ｎＵＡ      ＰＯＳ  ＯＣ−３ｃインターフェース（インターフェース）
６１１、６１１Ａ      パケットスイッチモジュール（スイッチング手段）
６１４、６１４Ａ      ＣＰＵ盤（ＰＰＰ処理手段）
６１３      ＰＯＳ  ＯＣ−１２ｃインターフェースブロック
【図１】
0003627655.tif 000002
【図２】
0003627655.tif 000003
【図３】
0003627655.tif 000004
【図４】
0003627655.tif 000005
【図５】
0003627655.tif 000006
【図６】
0003627655.tif 000007
【図７】
0003627655.tif 000008
【図８】
0003627655.tif 000009
【図９】
0003627655.tif 000010
【図１０】
0003627655.tif 000011
【図１１】
0003627655.tif 000012
【図１２】
0003627655.tif 000013
【図１３】
0003627655.tif 000014
【図１４】
0003627655.tif 000015
【図１５】
0003627655.tif 000016
【図１６】
0003627655.tif 000017
【図１７】
0003627655.tif 000018
【図１８】
0003627655.tif 000019
【図１９】
0003627655.tif 000020
【図２０】
0003627655.tif 000021
【図２１】
0003627655.tif 000022
【図２２】
0003627655.tif 000023
【図２３】
0003627655.tif 000024